(57)【要約】【課題】スラットを傾斜させても一部採光可能とし、しかも簡単な構造で、操作も容易なものとする。【解決手段】ラダーコード（１）に取付けられる複数枚のスラット（２）をその長手方向に沿って光透過部（２Ａ）と遮光部（２Ｂ）とが形成されたものから構成し、上下に隣り合うスラット（２）の光透過部（２Ａ）を側面から見て互い違いに配列し、２つの異なるスラット間隔（ｄ１、ｄ２）を設け、スラット（２）を一方向に傾斜させたときに隣り合うスラット（２）の光透過部（２Ａ）が重なり合うようにしたものである。【選択図】図１
2008285876.tif 000002
【特許請求の範囲】
【請求項１】
ラダーコードに取付けられる複数枚のスラットをその長手方向に沿って光透過部と遮光部とが形成されたものから構成し、
上下に隣り合うスラットの光透過部を側面から見て互い違いに配列し、
２つの異なるスラット間隔を設け、
スラットを一方向に傾斜させたときに隣り合うスラットの光透過部が重なり合うことを特徴とするブラインド。
【請求項２】
前記光透過部を透明材料から形成されたスラットの一部を利用して形成したことを特徴とする請求項１に記載のブラインド。
【請求項３】
前記光透過部をスラットの一部を切り欠いて形成したことを特徴とする請求項１に記載のブラインド。
【請求項４】
全体のスラットの一部にのみ光透過部と遮光部とが形成されたスラットを使用したことを特徴とする請求項１ないし３のいずれか１項に記載のブラインド。
【請求項５】
スラットの短辺の幅Ｗ、光透過部の幅Ｗｔ、スラット間隔ｄ１、ｄ２とし、ｄ２＞ｄ１とした場合、
Ｗ＞ｄ２＞Ｗ−２Ｗｔ＞ｄ１
の関係となるようにしたことを特徴とする請求項１ないし４のいずれか１項に記載のブラインド。
【発明の詳細な説明】
【技術分野】
【０００１】
本発明は、複数枚のスラット（羽根）を開閉するインテリア用等としてのブラインドに関する。
【背景技術】
【０００２】
近年、地球温暖化などの環境問題から、省エネルギー活動が盛んに行われている。会社などのオフィスにおいても同様であるが、ＰＣの画面での反射を防止するため、一般に窓際のブラインドは下げられたままで、窓の近くであっても、天井の電灯による照明を利用している場合が多い。これらの問題に対し、従来技術では、ブラインドを上下方向で複数の組に分け、それらを個別に開閉する事により、適切な採光が行われる様に配慮している。
【０００３】
従来技術としては、ヘッドボックス内において２本又は３本以上のシャフトを水平に配置し、各スラット組を開閉するラダーコード対を個々のシャフトに巻き付け、且つ各スラット組を別個に開閉する１本の開閉ポールをブラインド横側に垂直に配置するベネシアンブラインドであって、多数枚のスラットを上下方向で２組又は３組以上に分割するとともに、開閉ポールの上方において嵌装したウォームギヤをシャフト固着のホイールとかみ合わせ、各シャフトを選択的に回動させる部分開閉可能なものが知られている（特許文献１参照）。これは、各スラット組の開閉を１本の開閉ポールで容易に操作できるようにしたものである。
【０００４】
別の従来例としては、充分な遮蔽と採光とが上下方向において部分的に同時に達成することができる異方向性ブラインドが知られている。これは、複数枚のスラットを上下方向に並べ、当該スラットに設けたコード挿入穴に昇降コードを挿入し、この昇降コードをスラット下端部に設けたボトムレールに止着し、ヘッドボックス内で長手方向に軸支された回転軸に相反対方向に巻き付けられたスラット傾斜用の一対のラダーテープをスラットの幅方向両端縁にそれぞれ配置し、この一対のラダーテープ間をスラットの載置コードで連結してスラットを当該載置コードで保持し、回転軸の正逆回転によりスラットの傾斜角度を変えるようにしたものである。そして、上記回転軸をヘッドボックス内に複数本軸支し、各々の回転軸に巻き付けた複数組の一対のラダーテープを一群のスラットに対して、載置コードを設けたラダーテープと、載置コードを設けないその他のラダーテープとで構成し、複数群のスラットを、各群ごとに、独立して傾斜制御するようにしたものである（特許文献２参照）。
【特許文献１】特開平８−１６５８７０号公報（第２頁、図７）
【特許文献２】特開平８−８２１７５号公報（第２頁、図３）
【発明の開示】
【発明が解決しようとする課題】
【０００５】
従来のブラインドは、上下に複数のスラット組に分けられており、それぞれの機構が重複しており、操作部やラダーコードが複雑で、部品や組立てのコストが高く、また、操作も複雑という問題があった。すなわち、駆動部の部品数も、スラットの組数分必要となり、機構が複雑となり、コストアップになっていた。また、ラダーコードも、スラットの組数分必要で、取りまわしが複雑で、組立てが困難であった。さらに、操作性もそれぞれのスラットの組を個別に操作するため、煩雑であった。
【０００６】
そこで、本発明は、簡単な構造で、操作性も容易で、スラットを傾けた遮光状態でも、一定量の採光を可能としたブラインドを提供することを目的とする。
【課題を解決するための手段】
【０００７】
上述の目的を達成するため、本発明は、ラダーコードに取付けられる複数枚のスラットをその長手方向に沿って光透過部と遮光部とが形成されたものから構成し、上下に隣り合うスラットの光透過部を側面から見て互い違いに配列し、２つの異なるスラット間隔を設け、スラットを一方向に傾斜させたときに隣り合うスラットの光透過部が重なり合うものとした。
【発明の効果】
【０００８】
本発明によれば、ラダーコードに取付けられる複数枚のスラットをその長手方向に沿って光透過部と遮光部とが形成されたものから構成し、上下に隣り合うスラットの光透過部を側面から見て互い違いに配列し、２つの異なるスラット間隔を設け、スラットを一方向に傾斜させたときに隣り合うスラットの光透過部が重なり合うようにしたので、部品構成も少なく、複雑な構造とならず、操作性も容易、すなわち一方向にスラットを傾けるだけで、遮光状態となるが、一定量の採光も行える。
【発明を実施するための最良の形態】
【０００９】
以下に、本発明の好適な実施形態について図面を参照にして説明する。
【００１０】
図１は、ブラインドの側断面を示し、一般的に用いられているラダーコード１にスラット２を取付け、これらスラット２の短辺側の幅Ｗの一部の幅Ｗｔを光透過部２Ａに形成し、他を遮光部２Ｂに形成し、各スラット２は、光透過部２Ａが、側面から見て上下で互い違いになるように、すなわち右、左、右、左…となるように配置されている。また、各スラット２を支え、傾斜させるラダーコード１のスラット間隔ｄ１、ｄ２は異なる値とした。すなわち、スラット間隔を２つの異なるもの（ｄ１、ｄ２）とした。
【００１１】
このようなスラット２が適用されるブラインドの構造の一例としては、一般的なものとして図２に示すものが広く知られている。この例では、一対のラダーコード１の間に複数枚のスラット２を取付け、上端のヘッドボックス３と下端のボトムレール４との間にスラット２を配してある。また、スラット２の上下を貫くように昇降コード５を取付けてあり、マルチポール６のグリップ７を回すことにより、ラダーコード１を操作してスラット２の角度調節ができるようになっているものである。このマルチポール６の上部はユニバーサルジョイント８につながっている。また、マルチポール６の下端のコードタッセル９は、昇降コード５の昇降を行い、スラット２を上昇させ、あるいは降ろすために昇降コード５に連結されている。このようなブラインドの構造は、公知のものである。この公知のブラインドのスラット２を図１に示すような光透過部２Ａと遮光部２Ｂとが形成されたものを用い、図１に示すように配置することにより、スラット傾斜状態でも一定量の採光を確保できるものとなる。
【００１２】
図３は、スラット２を一方向に傾斜させた状態であり、隣り合うスラット２の各光透過部２Ａ同士が重なり合う部分ａが生じている状態を示す。この状態では、部分ａにおいて一部採光が可能である。すなわち、いままでは、完全な遮光状態であったスラット２の傾斜状態でも、本発明では、部分ａにおいて一定量の採光を可能とした。
【００１３】
ブラインドを完全な遮光状態にするには、スラット２を図３とは逆の方向に傾斜させ、図４の状態にすることにより、光の透過を遮断する。これは、スラット間隔ｄ１、ｄ２が異なるため、スラット２の傾斜状態が図３と図４に示すようになる。
【００１４】
図５は、スラット２の一例を示す斜視図であり、透明材料でスラット２を形成し、遮光部２Ｂにのみ塗装を施すことにより、簡単に光透過部２Ａと遮光部２Ｂとを形成することができる。あるいは、図６に示すように、光透過部２Ａの形成をスラット２を切り欠くことにより行うことができる。すなわち、切り欠き部分が光透過部２Ａとなっている。スラット２の形成材料としては、プラスチックあるいは金属が好適に用いられる。なお、遮光性のある金属材料などにプラスチック材料などの光透過材料を接着などして貼り付けたものをスラット２とすることもできる。
【００１５】
上述した実施形態では、全てのスラット２を光透過部２Ａと遮光部２Ｂとが形成されたものを互い違いに配列し、かつスラット間隔を異ならせて配置したが、複数枚のスラット２のうち一部分だけ（上部、中間部あるいは下部）を光透過部２Ａと遮光部２Ｂとが形成されたものを使用し、採光時の光量を調整するようにすることもできる。
【００１６】
また、各スラット２は、傾けた場合でも間隔に変化はないので、ｄ２＞ｄ１とした場合、透過・遮光が適切に機能するためには、式（１）に示す関係が成り立っている必要がある。
Ｗ＞ｄ２＞Ｗ−２Ｗｔ＞ｄ１  ・・・・・（１）
【００１７】
本発明のブラインドは、インテリア用のみならず、自動車用ブラインドとしての使用も可能であり、スラット２の形状により空隙を設けた形式の場合、ラジエータのシャッターに利用することも可能である。
【図面の簡単な説明】
【００１８】
【図１】本発明実施形態の側断面図。
【図２】ブラインド全体の斜視図。
【図３】一部採光状態の側断面図。
【図４】全部遮光状態の側断面図。
【図５】スラットの斜視図。
【図６】別のスラットの斜視図。
【符号の説明】
【００１９】
１    ラダーコード
２    スラット
２Ａ    光透過部
２Ｂ    遮光部
ｄ１、ｄ２    スラット間隔
【図１】
2008285876.tif 000003
【図２】
2008285876.tif 000004
【図３】
2008285876.tif 000005
【図４】
2008285876.tif 000006
【図５】
2008285876.tif 000007
【図６】
2008285876.tif 000008